(57)【要約】【課題】    使用方法が簡単で、ばんそうこうの交換時に傷口が再度裂けることなく、治癒後に傷跡が残らない医療用のばんそうこうを提供する。【解決手段】  少なくとも１以上のテープからなる本体を組み合わせてなり、該本体は、表面と内面とを具えてなり、該内面には予め設定された個所に粘着体が設けられ、該本体の内面には第一粘着面と、第二粘着面とが設けられ、それぞれ内面の両端縁部に位置するように設けられ、第一粘着面と、第二粘着面との間には適宜な距離を具えた中間内面が設けられ、本体の内面の第一粘着面と第二粘着面とを傷口近くに貼着し、中間内面を手でつまむか、或いは挟持することのできる道具で挟持して上に向かって引き上げると、第一粘着面と第二粘着面とが接触して互いに粘着し、傷口の端縁部が引き寄せられ、縫合することなく、傷口をふさぐことができる構造からなる。【選択図】  図１
0003143432.tif 000002
【実用新案登録請求の範囲】
【請求項１】
少なくとも１以上のテープからなる本体を組み合わせてなり、該本体は、表面と内面とを具えてなり、該内面には予め設定された個所に粘着体が設けられ、該本体の内面には第一粘着面と、第二粘着面とが設けられ、それぞれ内面の両端縁部に位置するように設けられ、第一粘着面と、第二粘着面との間には適宜な距離を具えた中間内面が設けられ、本体の内面の第一粘着面と第二粘着面とを傷口近くに貼着し、中間内面を手でつまむか、或いは挟持することのできる道具で挟持して上に向かって引き上げることにより、第一粘着面と第二粘着面とが接触して互いに粘着し、傷口の端縁部が引き寄せられ、縫合することなく傷口をふさぐことができる構造からなることを特徴とする医療用のばんそうこう。
【請求項２】
前記本体が、二つのテープから形成されることを特徴とする請求項１に記載の医療用のばんそうこう。
【請求項３】
前記本体が、同一のテープから形成されることを特徴とする請求項１に記載の医療用のばんそうこう。
【請求項４】
前記本体の表面の中間内面に対応する位置に第三粘着面が設けられ、第一粘着面と、第二粘着面とが接触して互いに粘着すると、第三粘着面が本体表面に貼着することを特徴とする請求項１に記載の医療用のばんそうこう。
【請求項５】
前記第一粘着面と第二粘着面とが、それぞれ吸収パッドを具えてなることを特徴とする請求項１に記載の医療用のばんそうこう。
【請求項６】
前記第一粘着面の吸収パッドの内側に無粘着面が設けられ、第二粘着面の吸収パッドの内側にも無粘着面が設けられることを特徴とする請求項５に記載の医療用のばんそうこう。
【請求項７】
前記第一粘着面の吸収パッドの内側に粘着面が設けられ、第二粘着面の吸収パッドの内側にも粘着面が設けられることを特徴とする請求項５に記載の医療用のばんそうこう。
【請求項８】
前記第一粘着面の吸収パッドの内側に無粘着面と粘着面とが設けられ、第二粘着面の吸収パッドの内側にも無粘着面と粘着面とが設けられることを特徴とする請求項５に記載の医療用のばんそうこう。
【請求項９】
前記第一粘着面と第二粘着面とが、それぞれ外側に外線を設けてなることを特徴とする請求項１に記載の医療用のばんそうこう。
【請求項１０】
前記本体の中間内面が、本体よりも幅が狭く形成されるとともに、開口を具えてなることを特徴とする請求項１に記載の医療用のばんそうこう。
【請求項１１】
前記本体の中間内面が、二つの部分に分けて形成され、一方が凸型の長い棒状の面で、もう一方がＵ字状の面で、長い棒状の面とＵ字状の面とが合わせたり、分離させたりすることができ、互いに交差することができるとともに、長い棒状の面とＵ字状の面とにはそれぞれ粘着体を具えてなることを特徴とする請求項１に記載の医療用のばんそうこう。
【考案の詳細な説明】
【技術分野】
【０００１】
この考案は、医療用のばんそうこうに関し、特に傷口を縫合することなく傷口をふさぐことができる医療用のばんそうこうに関する。
【背景技術】
【０００２】
従来の医療用のばんそうこうは、主に、皮膚の一部の小さな面積を傷つけた場合、それを被覆するために使用し、傷口が感染することや、外部に接触することを防いで、傷口を治癒し易くする。
【０００３】
しかしながら、一般に従来の医療用のばんそうこうは、傷がふさがると、傷跡ができ、外見の美しさに影響を与える。
【０００４】
また、大きめの傷口の場合、通常、縫合しなければならないため、負傷者が縫合の痛みを避けることができない。小さな傷口を従来の縫合技術で縫い合わせる場合、注射器で麻酔薬を注入するなどの縫合処置を必要とするため、労力、物質、時間を消耗する。
【考案の開示】
【考案が解決しようとする課題】
【０００５】
この考案は、使用方法が簡単で、ばんそうこうの交換時に傷口が再度裂けることなく、治癒後に傷跡が残らない医療用のばんそうこうを提供することを課題とする。
【課題を解決するための手段】
【０００６】
そこで、本発明者は従来の技術に見られる欠点に鑑みて鋭意研究を重ねた結果、少なくとも１以上のテープからなる本体を組み合わせてなり、該本体は、表面と内面とを具えてなり、該内面には予め設定された個所に粘着体が設けられ、該本体の内面には第一粘着面と、第二粘着面とが設けられ、それぞれ内面の両端縁部に位置するように設けられ、第一粘着面と、第二粘着面との間には適宜な距離を具えた中間内面が設けられ、本体の内面の第一粘着面と第二粘着面とを傷口近くに貼着し、中間内面を手でつまむか、或いは挟持することのできる道具で挟持して上に向かって引き上げると、第一粘着面と第二粘着面とが接触して互いに粘着し、傷口の端縁部が引き寄せられ、縫合することなく、傷口をふさぐことができるという目的を達成することができる構造からなる医療用のばんそうこうによって課題を解決できる点に着眼し、かかる知見に基づいて本発明を完成させた。
【０００７】
以下、この発明について具体的に説明する。
請求項１に記載の医療用のばんそうこうは、少なくとも１以上のテープからなる本体を組み合わせてなり、該本体は、表面と内面とを具えてなり、該内面には予め設定された個所に粘着体が設けられ、該本体の内面には第一粘着面と、第二粘着面とが設けられ、それぞれ内面の両端縁部に位置するように設けられ、第一粘着面と、第二粘着面との間には適宜な距離を具えた中間内面が設けられ、本体の内面の第一粘着面と第二粘着面とを傷口近くに貼着し、中間内面を手でつまむか、或いは挟持することのできる道具で挟持して上に向かって引き上げると、第一粘着面と第二粘着面とが接触して互いに粘着し、傷口の端縁部が引き寄せられ、縫合することなく、傷口をふさぐことができる構造からなる。
【０００８】
請求項２に記載の医療用のばんそうこうは、請求項１における本体が、二つのテープから形成される。
【０００９】
請求項３に記載の医療用のばんそうこうは、請求項１における本体が、同一のテープから形成される。
【００１０】
請求項４に記載の医療用のばんそうこうは、請求項１における本体の表面の中間内面に対応する位置に第三粘着面が設けられ、第一粘着面と、第二粘着面とが接触して互いに粘着すると、第三粘着面が本体表面に貼着する。
【００１１】
請求項５に記載の医療用のばんそうこうは、請求項１における第一粘着面と第二粘着面とが、それぞれ吸収パッドを具えてなる。
【００１２】
請求項６に記載の医療用のばんそうこうは、請求項５における第一粘着面の吸収パッドの内側に無粘着面が設けられ、第二粘着面の吸収パッドの内側にも無粘着面が設けられる。
【００１３】
請求項７に記載の医療用のばんそうこうは、請求項５における第一粘着面の吸収パッドの内側に粘着面が設けられ、第二粘着面の吸収パッドの内側にも粘着面が設けられる。
【００１４】
請求項８に記載の医療用のばんそうこうは、請求項５における第一粘着面の吸収パッドの内側に無粘着面と粘着面とが設けられ、第二粘着面の吸収パッドの内側にも無粘着面と粘着面とが設けられる。
【００１５】
請求項９に記載の医療用のばんそうこうは、請求項１における第一粘着面と第二粘着面とが、それぞれ外側に外線を設けてなる。
【００１６】
請求項１０に記載の医療用のばんそうこうは、請求項１における本体の中間内面が、本体よりも幅が狭く形成されるとともに、開口を具えてなる。
【００１７】
請求項１１に記載の医療用のばんそうこうは、請求項１における本体の中間内面が、二つの部分に分けて形成され、一方が凸型の長い棒状の面で、もう一方がＵ字状の面で、長い棒状の面とＵ字状の面とが合わせたり、分離させたりすることができ、互いに交差することができるとともに、長い棒状の面とＵ字状の面とにはそれぞれ粘着体を具えてなる。
【考案の効果】
【００１８】
この考案による医療用のばんそうこうは、治癒後に傷跡が残ることを防ぎ、ばんそうこうの交換時に傷口が再び裂けることを防ぐという効果を有する。
【考案を実施するための最良の形態】
【００１９】
この考案は、使用方法が簡単で、ばんそうこうの交換時に傷口が再度裂けることなく、治癒後に傷跡が残らないばんそうこうであって、少なくとも１以上のテープからなる本体を組み合わせてなり、該本体は、表面と内面とを具えてなり、該内面には予め設定された個所に粘着体が設けられ、該本体の内面には第一粘着面と、第二粘着面とが設けられ、それぞれ内面の両端縁部に位置するように設けられ、第一粘着面と、第二粘着面との間には適宜な距離を具えた中間内面が設けられ、本体の内面の第一粘着面と第二粘着面とを傷口近くに貼着し、中間内面を手でつまむか、或いは挟持することのできる道具で挟持して上に向かって引き上げると、第一粘着面と第二粘着面とが接触して互いに粘着し、傷口の端縁部が引き寄せられ、縫合することなく、傷口をふさぐことができる構造からなる医療用のばんそうこうの構造と特徴を詳述するために具体的な実施例を挙げ、図示を参照にして以下に説明する。
【実施例】
【００２０】
この考案の医療用のばんそうこうの第一の実施形態を図１から図４に開示する。図面によれば、該医療用のばんそうこうは、二つのテープ１１を組み合わせてなる本体１０からなり、表面１２と内面１３とを具えてなる。
【００２１】
該内面１３は、両側にそれぞれ吸収パッド１４が設けられる。該吸収パッド１４は、傷口に貼付するために供する。
【００２２】
該本体１０は、内面の両側にそれぞれ第一粘着面１５と、第二粘着面１６とを設けてなり、該第一粘着面１５と吸収パッド１４とが本体１０内面の一側面に位置し、該第二粘着面１６ともう一方の吸収パッド１４とが、本体１０内面のもう一方の側面に位置する。
【００２３】
第一粘着面１５と第二粘着面１６との間には、中間内面１７（二つのテープ１１がいずれも中間内面１７を具えている）とした適宜な距離が設けられる。
【００２４】
該中間内面１７には粘着体を設けなくてもよい。
【００２５】
該第一粘着面１５の吸収パッド１４は、内側に無粘着面１８を具えてなり、該第二粘着面１６の吸収パッド１４の内側にも無粘着面１９が設けられる。
【００２６】
第一粘着面１５の吸収パッド１４の外側には外線１０１が設けられる。また、第二粘着面１６の吸収パッド１４の外側にも外線１０１を設けてなる。該外線１０１は、使用者が縦方向にテープ１１を裂いて開く場合に供し、傷口が再度、裂けることを防ぐことができる。
【００２７】
上述の構造からなる医療用のばんそうこうは、図２から図４に開示するように、本体１０内面の第一粘着面１５を使用者の傷口付近（吸収パッド１４が傷口３０の上に位置するように）に貼着した後、第二粘着面１６を対向する側面（第二粘着面１６と第一粘着面１５とが対向し、吸収パッド１４が傷口３０の上に位置するように）に貼着する。
【００２８】
前述の場合、中間内面１７が上方に向けて隆起する。中間内面１７をあわせて手で上方に引き上げる（或いは中間内面１７を挟持することができる道具を利用して挟持して上方に持ち上げる）と、第一粘着面１５と第二粘着面１６とにより傷口３０の表面が互いに引き寄せられ接触し、第一粘着面１５と第二粘着面１６とが接触する部分が互いに貼着しているため、傷口３０がふさがれる。
【００２９】
中間内面１７を切断すれば、傷口３０が治癒した後、傷跡が残ることを防ぐことができるため、外見の美観に影響を与えることがなく、糸で傷口を縫合する必要がない。
【００３０】
本体１０を交換する場合（ばんそうこうを一日、或いは二日貼りつづける場合）、外線１０１を使用者が縦方向にテープ１１を裂いて開くために供する。よって、本体１０の交換で傷口が再度避けることを防ぎ、横向きにテープを貼着し、縦方向にテープを裂く方法を採用している。
【００３１】
図５から図９は、この考案の第二の実施形態を示したものである。図面によれば、本体２０は、長方形の帯状で、本体２０は、同一のテープからなる。
【００３２】
該本体２０は、表面２１と内面２２とを具えてなる。該内面２２は両側にそれぞれ吸収パッド２３、２４を設けてなる。該吸収パッド２３、２４は、傷口に貼着するために供する。
【００３３】
また、該本体２０の内面両側には、第一粘着面２５と、第二粘着面２６とが設けられ、該第一粘着面２５と吸収パッド２３とは、本体２０内面の一端縁部に位置し、第二粘着面２６ともう一方の吸収パッド２４は、本体２０内面のもう一方の他端縁部に位置する。
【００３４】
第一粘着面２５と第二粘着面２６との間には中間内面２７として適宜な距離が設けられる。該中間内面２７には粘着体を設けなくてもよい。
【００３５】
第一粘着面２５の吸収パッド２３の内側には無粘着面２８が設けられ、第二粘着面２６の吸収パッド２４の内側にも無粘着面２９が設けられる。
【００３６】
また、第一粘着面２５の吸収パッド２３の外側には外線２０４が設けられ、該第二粘着面２６の吸収パッド２４の外側にも外線２０４が設けられる。該外線２０４は、使用者が縦方向に本体２０を裂く場合に供し、傷口が再度裂けることを防ぐことができる。
【００３７】
本体２０の表面には、第三粘着面２０１が設けられる。該第三粘着面２０１は、中間内面２７に対応する位置に設ける。第一粘着面２３と第二粘着面２４が接触する部分が互いに貼着すると、第三粘着面２０１が本体２０の表面に貼着し、本体２０の表面及び内面がそれぞれ分離シート２０２、２０３を具えて貼着するために供する。
【００３８】
前述の構造からなるこの考案の第二実施形態において、本体２０の内面の第一粘着面２５を傷口付近に（吸収パッド２３が傷口３０の上に位置するように）貼付する。次に第二粘着面２６を傷口３０のもう一方の側面（第二粘着面２６と第一粘着面２５が対向し、吸収パッド２４が傷口３０の上方に位置する）に貼付する。
【００３９】
前述の状態において、中間内面２７が上方に隆起しているため、手で、中間内面２７を合わせて上方に引き上げる（或いは挟持することができる道具を利用して挟持して中間内面２７をつまんで上方に引き上げる）と、第一粘着面２５と第二粘着面２６とが傷口３０に向って引き寄せられて接触し、第一粘着面２５と第二粘着面２６とが互いに接触する部分が貼着して傷口３０がふさがれた状態になる。
【００４０】
第三粘着面２０１が本体２０の表面２１に貼着して中間内面２７が位置決めされ、第一粘着面２５と第二粘着面２６とがはがれることがなく、傷口が治癒した後、傷跡ができることがないため、外観の美観に影響を与えることがなく、糸で傷口を縫合する必要もない。
【００４１】
或いは本体２０の中間内面２７を合わせて上方に引き上げると、第一粘着面２５と第二粘着面２６とが接触する部分が互いに貼着されて、第三粘着面２０１が本体２０の表面２１に貼着する。よって、はさみで中間内面２７を直接切り取るだけでよい（図１０参照）。
【００４２】
本体２０を交換する場合、外線２０４を使用者が縦方向に本体２０を裂くために供することができるため、傷口が再度裂けることを防ぐことができる。
【００４３】
図１１は、この考案の第三の実施形態を示したものである。この実施形態では、第一粘着面２５の吸収パッド２３の内側に粘着面２８１（本来は無粘着面）を設け、第二粘着面２６の吸収パッド２４の内側にも粘着面２９１を設ける。
【００４４】
よって、第一粘着面２５と第二粘着面２６とを引っ張って傷口をふさぐと、第一粘着面２５と第二粘着面２６とが接触する部分の粘着面２８１、２９１が互いに貼着してはがれることがない。
【００４５】
同様に対応した二つの外線２０４を設ける。該外線２０４は、使用者が本体２０を縦方向に裂く場合に供することができるため、傷口が本体２０の交換で再び裂けることを防ぐことができる。
【００４６】
図１２は、この考案の第四の実施形態を示したものである。図面によれば、第一粘着面２５の吸収パッド２３の内側に無粘着２８及び粘着面２８２とを隣接して設ける。また、第二粘着面２６の吸収パッド２４の内側にも無粘着面２９と、粘着面２９２とを隣接して設ける。
【００４７】
よって、第一粘着面２５と第二粘着面２６とを引っ張って傷口をふさぐと、第一粘着面２５と第二粘着面２６とが接触する部分の粘着面２８２、２９２とが互いに貼着してはがれることがない。
【００４８】
同様に対応するように二つの外線２０４を設ける。該外線２０４は、使用者が本体２０を縦方向に裂くために供し、本体２０の交換で傷口が再び裂けることを防ぐことができる。
【００４９】
図１３、図１４は、この考案の第五の実施形態を示したものである。図面によれば、本体４０は、中間内面４７の幅が本体４０よりも小さく形成され、該中間内面４７には開口４７２１が設けられ、一端縁部に第一粘着面４５と、吸収パッド４３とが設けられ、他端縁部に第二粘着面４６と、吸収パッド４４とが設けられる。
【００５０】
また、他の実施形態と同様に吸収パッド４３、４４の内側にはそれぞれ無粘着面か、或いは粘着面が設けられうとともに、対応するように二つの外線４０２が設けられる。該外線４０２は、使用者が本体４０を縦方向に裂く場合に供して、傷口が再度裂けることを防ぐことができる。
【００５１】
使用する場合、第一粘着面４５と、吸収パッド４３とを開口４７１に貫通させて、第一粘着面４５と第二粘着面４６とが傷口をふさぐように設けて、上述の実施形態と同様の目的を達成することをできる。
【００５２】
図１５と、図１６は、この考案の第六の実施形態を示したものである。図面によれば、本体５０は、中間内面が二つの部分に分けて形成される。該中間内面は、一方が凸型の長い棒状の面５７で、もう一方がＵ字状の面５８を呈し、互いに分かれて形成される。
【００５３】
該長い棒状の面５７と、Ｕ字状の面５８とは、粘着体を具えてなり、第一粘着面５５と、吸収パッド５３と、第二粘着面５６と、吸収パッド５４とが設けられる。
【００５４】
他の実施形態と同様に、吸収パッド５３、５４にはそれぞれ内側に無粘着面か、或いは粘着面が設けられるとともに、それぞれ外線５０２が設けられる。該外線５０２は、使用者が本体５０を縦方向に裂くために供し、本体５０を裂く時に傷口が再び裂けることを防ぐことができる。
【００５５】
使用する場合、吸収パッド５３、吸収パッド５４とを傷口に隣接するように設けて、長い棒状の面５７が第二粘着面５６の上方に貼着するように設ける。
【００５６】
長い棒状の面５７を第二粘着面５６に貼り、Ｕ字状の面５８を長い棒状の面５７に交錯させ、第一粘着面５５に貼り、長い棒状の面５７とＵ字状の面５８を交錯させるのを利用し、傷口を引き寄せると、傷口がふさがり、上述の実施形態と同様の目的を達成することができる。
【００５７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５８】
【図１】この考案の医療用のばんそうこうの第一の実施形態を示した平面図である。
【図２】図１に開示した医療用のばんそうこうを傷口に貼着した場合を示した側面図である。
【図３】図１に開示した医療用のばんそうこうで傷口をふさいだ状態を示した側面図である。
【図４】図１に開示した医療用のばんそうこうで傷口をふさいだ後、ばんそうこうの余分な部分を切り取った状態を示した側面図である。
【図５】この考案の医療用のばんそうこうの第二の実施形態を示した斜視図である。
【図６】図５に開示した医療用のばんそうこうを示した平面図である。
【図７】図５に開示した医療用のばんそうこうを傷口に貼着した場合を示した側面図である。
【図８】図５に開示した医療用のばんそうこうの中間内面を上方に引き上げて傷口を引き寄せた状態を示した側面図である。
【図９】図５に開示した医療用のばんそうこうで傷口をふさいだ後、第三粘着面を本体表面に貼着した状態を示した側面図である。
【図１０】図５に開示した医療用のばんそうこうで傷口をふさいだ後、中間内面を切断した状態を示した側面図である。
【図１１】この考案の医療用のばんそうこうの第三の実施形態を示したものである。
【図１２】この考案の医療用のばんそうこうの第四の実施形態を示したものである。
【図１３】この考案の医療用のばんそうこうの第五の実施形態を示したものである。
【図１４】図１３に開示した医療用のばんそうこうの使用状態を示した側面図である。
【図１５】この考案の医療用のばんそうこうの第六の実施形態を示したものである。
【図１６】図１５に開示した医療用のばんそうこうの使用状態を示した側面図である。
【符号の説明】
【００５９】
１０       本体
１０１     外線
１１       テープ
１２       表面
１３       内面
１４       吸収パッド
１５       第一粘着面
１６       第二粘着面
１７       中間内面
１８       無粘着面
１９       無粘着面
２０       本体
２０１     第三粘着面
２０２     分離シート
２０３     分離シート
２０４     外線
２１       表面
２２       内面
２３       吸収パッド
２４       吸収パッド
２５       第一粘着面
２６       第二粘着面
２７       中間内面
２８       無粘着面
２８１     粘着面
２８２     粘着面
２９       無粘着面
２９１     粘着面
２９２     粘着面
３０       傷口
４０       本体
４０２     外線
４３       吸収パッド
４４       吸収パッド
４５       第一粘着面
４６       第二粘着面
４７       中間内面
４７１     開口
５０       本体
５０２     外線
５３       吸収パッド
５４       吸収パッド
５５       第一粘着面
５６       第二粘着面
５７       長い棒状の面
５８       Ｕ字状の面
【図１】
0003143432.tif 000003
【図２】
0003143432.tif 000004
【図３】
0003143432.tif 000005
【図４】
0003143432.tif 000006
【図５】
0003143432.tif 000007
【図６】
0003143432.tif 000008
【図７】
0003143432.tif 000009
【図８】
0003143432.tif 000010
【図９】
0003143432.tif 000011
【図１０】
0003143432.tif 000012
【図１１】
0003143432.tif 000013
【図１２】
0003143432.tif 000014
【図１３】
0003143432.tif 000015
【図１４】
0003143432.tif 000016
【図１５】
0003143432.tif 000017
【図１６】
0003143432.tif 000018